(57)【要約】【課題】ユーザーの所望の後処理が実施可能か否かを提示する後処理装置、画像形成システム、および後処理装置の制御プログラムを提供する。【解決手段】後処理装置３００は、入れ替え可能な１つ以上の機能ユニット５０１〜５０４によって、機能ユニットの機能に応じた所定の後処理を、搬送された用紙に対して行う後処理装置である。後処理装置３００は、複数のスロット３２１〜３２４と、装填検出部３２５〜３２８，３６０と、条件出力部３６０と、を有する。複数のスロット３２１〜３２４は、搬送路に沿ったそれぞれの装填位置で機能ユニットを装填可能である。装填検出部３２５〜３２８，３６０は、スロットに機能ユニットが装填されたことを検出する。条件出力部３６０は、機能ユニット５０１〜５０４が装填されたスロット３２１〜３２４の装填位置に応じて、後処理可能な条件を出力する。【選択図】図３
2019112157.tif 000002
【特許請求の範囲】
【請求項１】
入れ替え可能な１つ以上の機能ユニットによって、前記機能ユニットの機能に応じた所定の後処理を、搬送された用紙に対して行う後処理装置であって、
複数のスロットであって、搬送路に沿ったそれぞれの装填位置で前記機能ユニットを装填可能な複数のスロットと、
前記スロットに前記機能ユニットが装填されたことを検出する装填検出部と、
前記機能ユニットが装填された前記スロットの前記装填位置に応じて、後処理可能な条件を出力する条件出力部と、を有する、後処理装置。
【請求項２】
前記スロットに装填された前記機能ユニットの前記機能の種類を検出する種類検出部をさらに有し、
前記条件出力部は、
前記種類検出部によって検出された前記機能の前記種類および前記装填位置に応じて、前記条件を出力する、請求項１に記載の後処理装置。
【請求項３】
前記条件出力部は、
前記スロットに装填されている前記機能ユニットが、前記用紙に用紙搬送方向と直交する方向の後処理を行う場合に、前記条件を出力する、請求項１または２に記載の後処理装置。
【請求項４】
前記条件出力部は、
複数の前記機能ユニットの組み合わせに関して、前記機能ユニットの装填位置に応じた前記条件の一覧を出力する、請求項１〜３のいずれか１項に記載の後処理装置。
【請求項５】
用紙に画像を形成する画像形成部と、
前記用紙に対して後処理を実施する、請求項１〜４のいずれか１項に記載の後処理装置と、を有する、画像形成システム。
【請求項６】
前記条件出力部は、
前記装填位置の前記機能ユニットが後処理を実施する位置を示す識別子を含む出力イメージ画像を印刷するように前記画像形成部を制御する、請求項５に記載の画像形成システム。
【請求項７】
前記条件出力部は、
前記機能ユニットが前記後処理として断裁処理を実施した後の前記用紙の出力イメージ画像を除いた部分であって、前記出力イメージ画像に隣接する周辺部に画像を印刷するように前記画像形成部を制御する、請求項５に記載の画像形成システム。
【請求項８】
複数のスロットであって、搬送路に沿ったそれぞれの装填位置で機能ユニットを装填可能な複数のスロットを有し、入れ替え可能な１つ以上の機能ユニットによって、前記機能ユニットの機能に応じた所定の後処理を、搬送された用紙に対して行う後処理装置の制御プログラムであって、
前記スロットに前記機能ユニットが装填されたことを検出する手順（ａ）と、
前記手順（ａ）で検出された前記機能ユニットが装填された前記装填位置に応じて、前記後処理装置が後処理可能な条件を出力する手順（ｂ）と、をコンピューターに実行させるための、後処理装置の制御プログラム。
【発明の詳細な説明】
【技術分野】
【０００１】
本発明は、後処理装置、画像形成システム、および後処理装置の制御プログラムに関する。
【背景技術】
【０００２】
用紙の断裁、折り目、ミシン目の形成などの後処理を実施する複数の機能ユニットを入れ替えることにより、１台で複数の後処理を実施可能な後処理装置が知られている。
【０００３】
下記特許文献１には、用紙を搬送しながら用紙に加工を施す用紙加工装置において、機能ユニットとして、任意に選択した内容の加工を行うオプション加工装置部を有し、オプション加工装置部が装置本体に対して着脱自在に設けられていることが開示されている。また、下記特許文献２には、機能ユニットとして、用紙加工装置が裁断装置部および折り型形成装置部を有し、これら裁断装置部および折り型形成装置部が装置本体に対して着脱自在に設けられていることが開示されている。
【０００４】
特許文献２の用紙加工装置では、搬送路に沿って裁断装置部および折り型形成装置部が直列に配置され、これらの処理を順次実施できるように構成されている。このように、後処理装置に装填する機能ユニット数を増加し、組み合わせることにより、より複雑な後処理機能を実現できる。
【０００５】
しかし、機能ユニット数が増加し、組み合せが複雑になると、同じ後処理を実施する場合でも、用紙サイズによっては後処理が実施できない場合がある。このような場合、後処理装置のユーザーは、機能ユニットの入れ替えを行うことにより対処している。
【０００６】
特に、用紙搬送方向に直交する方向（以下、「ＣＤ（Ｃｒｏｓｓ  Ｄｉｒｅｃｔｉｏｎ）方向」という）への後処理については、用紙搬送を一旦停止する必要があるため、後段に連結されている後処理装置に用紙が引っ張られるなどの制約がありうる。その結果、後処理が正確に行われない場合がある。ユーザーは、このような制約を回避するため、機能ユニットの入れ替えを行う。
【先行技術文献】
【特許文献】
【０００７】
【特許文献１】特開２００５−２３９３０８号公報
【特許文献２】特開２００５−２３９３１２号公報
【発明の概要】
【発明が解決しようとする課題】
【０００８】
しかしながら、機能ユニットの入れ替えを行った時点では、ユーザーは現状の機能ユニットの組合せにより所望の後処理を実施できるか否かを確認することが困難であるという問題がある。
【０００９】
また、同じ機能ユニット同士でも装填位置の違いにより後処理機能の制約や禁則条件が異なるため、ユーザーがこれらの制約や禁則条件を全て把握しておくことが困難であるという問題もある。
【００１０】
本発明は、上記事情に鑑みてなされたものであり、ユーザーの所望の後処理が実施可能か否かを提示する後処理装置、画像形成システム、および後処理装置の制御プログラムを提供することを目的とする。
【課題を解決するための手段】
【００１１】
本発明の上記目的は、下記の手段によって達成される。
【００１２】
（１）入れ替え可能な１つ以上の機能ユニットによって、前記機能ユニットの機能に応じた所定の後処理を、搬送された用紙に対して行う後処理装置であって、複数のスロットであって、搬送路に沿ったそれぞれの装填位置で前記機能ユニットを装填可能な複数のスロットと、前記スロットに前記機能ユニットが装填されたことを検出する装填検出部と、前記機能ユニットが装填された前記スロットの前記装填位置に応じて、後処理可能な条件を出力する条件出力部と、を有する、後処理装置。
【００１３】
（２）前記スロットに装填された前記機能ユニットの前記機能の種類を検出する種類検出部をさらに有し、前記条件出力部は、前記種類検出部によって検出された前記機能の前記種類および前記装填位置に応じて、前記条件を出力する、上記（１）に記載の後処理装置。
【００１４】
（３）前記条件出力部は、前記スロットに装填されている前記機能ユニットが、前記用紙に用紙搬送方向と直交する方向の後処理を行う場合に、前記条件を出力する、上記（１）または（２）に記載の後処理装置。
【００１５】
（４）前記条件出力部は、複数の前記機能ユニットの組み合わせに関して、前記機能ユニットの装填位置に応じた前記条件の一覧を出力する、上記（１）〜（３）のいずれか１つに記載の後処理装置。
【００１６】
（５）用紙に画像を形成する画像形成部と、前記用紙に対して後処理を実施する、上記（１）〜（４）のいずれか１つに記載の後処理装置と、を有する、画像形成システム。
【００１７】
（６）前記条件出力部は、前記装填位置の前記機能ユニットが後処理を実施する位置を示す識別子を含む出力イメージ画像を印刷するように前記画像形成部を制御する、上記（５）に記載の画像形成システム。
【００１８】
（７）前記条件出力部は、前記機能ユニットが前記後処理として断裁処理を実施した後の前記用紙の出力イメージ画像を除いた部分であって、前記出力イメージ画像に隣接する周辺部に画像を印刷するように前記画像形成部を制御する、上記（５）に記載の画像形成システム。
【００１９】
（８）複数のスロットであって、搬送路に沿ったそれぞれの装填位置で機能ユニットを装填可能な複数のスロットを有し、入れ替え可能な１つ以上の機能ユニットによって、前記機能ユニットの機能に応じた所定の後処理を、搬送された用紙に対して行う後処理装置の制御プログラムであって、前記スロットに前記機能ユニットが装填されたことを検出する手順（ａ）と、前記手順（ａ）で検出された前記機能ユニットが装填された前記装填位置に応じて、前記後処理装置が後処理可能な条件を出力する手順（ｂ）と、をコンピューターに実行させるための、後処理装置の制御プログラム。
【発明の効果】
【００２０】
本発明によれば、後処理装置における機能ユニットの装填位置に応じて、後処理装置が後処理可能な条件を出力するので、ユーザーは、所望の後処理が実施可能か否かを容易に判断できる。
【図面の簡単な説明】
【００２１】
【図１】本発明の一実施形態の画像形成システムの概略断面図である。
【図２】図１に示す画像形成システムの概略ブロック図である。
【図３】図１に示す第１の後処理装置の構成を例示する概略断面図である。
【図４Ａ】本発明の一実施形態の画像形成システムの制御方法の処理手順を例示するフローチャートである。
【図４Ｂ】図４ＡのステップＳ１０４の処理を例示するサブルーチン・フローチャートである。
【図５Ａ】第１の後処理装置における機能ユニットの位置と後処理が実施可能な条件の一例を示す表である。
【図５Ｂ】図５Ａに示す機能ユニットの組み合わせにより実施可能な後処理の代表例を示す模式図である。
【図６Ａ】第１の後処理装置における機能ユニットの位置と後処理が実施可能な条件の他の例を示す表である。
【図６Ｂ】図６Ａに示す機能ユニットの組み合わせにおける禁則条件を示す模式図である。
【図６Ｃ】図６Ａに示す機能ユニットの組み合わせにより実施可能な後処理の代表的な一例を示す模式図である。
【図６Ｄ】図６Ａに示す機能ユニットの組み合わせにより実施可能な後処理の代表的な他の例を示す模式図である。
【図７Ａ】第１の後処理装置における機能ユニットの位置と後処理が実施可能な条件の他の例を示す表である。
【図７Ｂ】図７Ａに示す機能ユニットの組み合わせにおける禁則条件を示す模式図である。
【図７Ｃ】図７Ａに示す機能ユニットの組み合わせにより実施可能な後処理の代表的な一例を示す模式図である。
【図７Ｄ】図７Ａに示す機能ユニットの組み合わせにより実施可能な後処理の代表的な他の例を示す模式図である。
【図８Ａ】第１の後処理装置における機能ユニットの並びの初期状態を例示する模式図である。
【図８Ｂ】図８Ａの初期状態から禁則条件を緩和する並び順の入れ替えを行った場合を例示する模式図である。
【図８Ｃ】図８Ａの初期状態から禁則条件を緩和する並び順の入れ替えを行った場合を例示する模式図である。
【図８Ｄ】図８Ａの初期状態から禁則条件を緩和する並び順の入れ替えを行った場合を例示する模式図である。
【図９Ａ】第１の後処理装置における機能ユニットの組み合わせにより実現される代表的な後処理、後処理の実施可能な条件等について一覧表示した表である。
【図９Ｂ】図９Ａに続く表である。
【図１０Ａ】第１の後処理装置によって後処理された用紙の出力例を示す模式図である。
【図１０Ｂ】第１の後処理装置によって後処理された用紙の出力例を示す模式図である。
【図１０Ｃ】第１の後処理装置によって後処理された用紙の出力例を示す模式図である。
【図１０Ｄ】第１の後処理装置によって後処理された用紙の出力例を示す模式図である。
【図１０Ｅ】第１の後処理装置によって後処理された用紙の出力例を示す模式図である。
【図１１Ａ】変形例１を説明するための模式図である。
【図１１Ｂ】変形例１を説明するための模式図である。
【図１１Ｃ】変形例１を説明するための模式図である。
【図１１Ｄ】変形例１を説明するための模式図である。
【図１２Ａ】変形例２を説明するための模式図である。
【図１２Ｂ】変形例２を説明するための模式図である。
【図１２Ｃ】変形例２を説明するための模式図である。
【図１３】変形例３の第１の後処理装置の概略構成を示す断面図である。
【発明を実施するための形態】
【００２２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２３】
＜画像形成システム１００＞
図１は一実施形態の画像形成システム１００の概略断面図であり、図２は図１に示す画像形成システム１００の概略ブロック図である。また、図３は図１に示す第１の後処理装置の構成を例示する概略断面図である。
【００２４】
図１に示すように、本実施形態の画像形成システム１００は、Ｘ方向（用紙搬送方向）に沿って直列に接続された画像形成装置２００、第１の後処理装置３００、および第２の後処理装置４００を有する。なお、図１に示す画像形成システム１００の構成は一例であり、画像形成システム１００に含まれる装置の種類および台数は図１に示す例に限定されない。画像形成システム１００は、画像形成装置２００のＸ方向上流に給紙装置をさらに有することもできる。
【００２５】
＜画像形成装置２００＞
画像形成装置２００は、原稿から画像を読み取り、読み取った画像を用紙に形成（印刷）する。また、画像形成装置２００は、ネットワークを通じて外部のクライアント端末からＰＤＬ（Ｐａｇｅ  Ｄｅｓｃｒｉｐｔｉｏｎ  Ｌａｎｇｕａｇｅ）形式の印刷データおよび印刷設定データを含む印刷ジョブを受信し、これに基づいて用紙に画像を形成する。クライアント端末は、たとえばパーソナルコンピューター、タブレット端末、スマートフォンなどでありうる。
【００２６】
図２に示すように、画像形成装置２００は、画像読取部２１０、画像処理部２２０、画像形成部２３０、給紙部２４０、用紙搬送部２５０、定着部２６０、通信部２７０、操作表示部２８０、および制御部２９０を有する。これらの構成要素は、内部バス２０１により相互に通信可能に接続されている。
【００２７】
画像読取部２１０は、ミラー、レンズなどから構成される光学系と読取センサーとを備える。画像読取部２１０は、読取面に載置された原稿またはＡＤＦ（Ａｕｔｏ  Ｄｏｃｕｍｅｎｔ  Ｆｅｅｄｅｒ）によって搬送された原稿を読み取って画像信号を出力する。
【００２８】
画像処理部２２０は、画像読取部２１０から受信した画像信号に対して各種の画像処理を実施し、印刷画像データを生成する。また、画像処理部２２０は、通信部２７０により受信された印刷ジョブに含まれる印刷設定情報および印刷データに基づいて、印刷画像データを生成する。生成された印刷画像データは、画像形成部２３０に送信される。
【００２９】
画像形成部２３０は、帯電、露光、現像、および転写の各工程を含む電子写真方式などの周知の作像プロセスを用いて、印刷画像データに基づいて画像を用紙上に形成する。
【００３０】
画像形成部２３０は、像担持体としての感光体ドラムおよびその周囲に配置された帯電部、光書込部、現像装置、および転写部を有して構成される。
【００３１】
感光体ドラムは、不図示のドラムモーターにより所定の速度で回転する。帯電部は、感光体ドラムの周囲に配置されるコロナ放電極を備え、生成されるイオンによって感光体ドラムの表面を帯電させる。光書込部は、走査光学装置が組み込まれており、入力される印刷画像データに基づいて、帯電された感光体ドラムを露光することにより、露光された部分の電位を低下させ、印刷画像データに対応する電荷パターン（静電潜像）を形成する。現像装置は、形成された静電潜像を現像し、トナーによって可視化し、トナー画像を形成する。転写部は、感光体ドラム上のトナー画像を用紙に転写する。
【００３２】
給紙部２４０は、記録材としての用紙を画像形成部２３０に供給する。給紙部２４０は、上段トレイ２４１および下段トレイ２４２を有し、各々のトレイには、たとえばＡ４サイズやＡ３サイズなどのサイズの異なる用紙が収納されうる。
【００３３】
用紙搬送部２５０は、画像形成装置２００内において用紙を搬送する。用紙搬送部２５０は、搬送路および複数の搬送ローラー対を有する。また、用紙搬送部２５０は、用紙反転部および循環搬送部を備えており、定着がなされた用紙の表裏を反転して排出したり、あるいは用紙の両面に画像を形成したりすることができる。
【００３４】
給紙部２４０から供給された用紙は、搬送路を画像形成部２３０へ向けて搬送される。用紙は、レジストローラー対２５１において、感光体ドラムに形成されたトナー画像と同期がとられ、転写部に搬送されるタイミングが制御される。転写部によってトナー画像が転写された用紙は、定着部２６０に搬送される。
【００３５】
定着部２６０は、用紙に形成されたトナー画像を定着する。定着部２６０は、内部にヒーターが配置された中空の加熱ローラーと、加熱ローラーに対向する加圧ローラーとを備える。加熱ローラーおよび加圧ローラーは、ヒーターにより所定温度（たとえば１００℃以上）に制御され、用紙に加熱・加圧処理を施し、トナー画像を定着する。
【００３６】
画像が定着された用紙は、排紙部（不図示）を通じて第１の後処理装置３００に供給される。
【００３７】
通信部２７０は、ネットワークＩ／Ｆ２７１および後処理装置Ｉ／Ｆ２７２を有する。ネットワークＩ／Ｆ２７１は、ネットワークを経由して、たとえばパーソナルコンピューターなどのクライアント端末に接続し、印刷ジョブなどのデータを送受信する。
【００３８】
後処理装置Ｉ／Ｆ２７２は、第１の後処理装置３００および第２の後処理装置４００と通信回線２０２を通じて通信可能に接続され、データを送受信する。
【００３９】
操作表示部２８０は、入力部および出力部を有する。入力部は、たとえば、キーボードおよびタッチパネルを備え、文字入力、各種設定、スタート指示などの各種指示（入力）をユーザーが行うために利用される。また、出力部は、ディスプレイを備え、機器構成、印刷ジョブの実施状況、後処理可能な条件、出力イメージ画像、用紙搬送における異常（ジャム）の発生状況などを、ユーザーに提示するために使用される。
【００４０】
制御部２９０は、画像読取部２１０、画像処理部２２０、画像形成部２３０、給紙部２４０、用紙搬送部２５０、定着部２６０、通信部２７０、および操作表示部２８０を制御する。制御部２９０は、ＣＰＵ２９１、補助記憶装置２９２、ＲＡＭ２９３、およびＲＯＭ２９４を有する。
【００４１】
ＣＰＵ２９１は、画像形成装置用の制御プログラムを実行する。制御プログラムは、補助記憶装置２９２に記憶されており、ＣＰＵ２９１によって実行される際に、ＲＡＭ２９３にロードされる。補助記憶装置２９２は、たとえば、ハードディスクドライブ、フラッシュメモリーなどの大容量の記憶装置を備える。ＲＡＭ２９３には、ＣＰＵ２９１の実行に伴う演算結果、第１の後処理装置３００に装填されている機能ユニットの位置、種類、後述する禁則条件情報などが格納される。ＲＯＭ２９４には、各種のパラメーター、各種プログラムなどが記憶されている。ＣＰＵ２９１は、上記制御プログラムを実行し、様々な機能を実現する。
【００４２】
＜第１の後処理装置３００＞
第１の後処理装置３００は、画像形成装置２００の指示に従って、画像形成装置２００から供給された用紙を搬送または後処理し、第２の後処理装置４００に供給またはパージトレイ３４０に排出する。
【００４３】
第１の後処理装置３００は、画像形成システム１００において画像形成装置２００と第２の後処理装置４００との間に配置され、用紙搬送部３１０、後処理部３２０、屑箱３３０、パージトレイ３４０、通信Ｉ／Ｆ部３５０、および制御部３６０を有する。これらの構成要素は、内部バス３０１により相互に通信可能に接続されている。
【００４４】
図３に示すように、用紙搬送部３１０は、搬送路３１１，３１２，３１３および複数の搬送ローラー対３１４を備え、第１の後処理装置３００から供給された用紙を搬送路３１１、３１２、または３１３に沿って搬送する。
【００４５】
また、用紙搬送部３１０は、長尺紙搬送部３１５およびパージ搬送部３１６を有する。長尺紙搬送部３１５は、画像形成装置２００から供給された長尺紙を搬送しつつ整合する。より具体的には、長尺紙搬送部３１５は、画像形成装置２００から供給された長尺紙を搬送路３１２に一時的に保持し、後処理部３２０に搬送する前に、搬送方向に対する傾きなどを整合（正しい向きに修正）する。また、パージ搬送部３１６は、後処理部３２０からの用紙をパージトレイ３４０へ搬送する。なお、図示は簡略化しているが、パージ搬送部３１６は、後処理部３２０にてカードや名刺大サイズに断裁された用紙を確実に搬送できるように、搬送路３１３に沿って多数の搬送ローラー対３１４を備えうる。
【００４６】
後処理部３２０は、１つ以上の機能ユニットによって用紙に後処理を実施する。後処理部３２０は、機能ユニットを装填するための複数のスロット３２１〜３２４を有する。スロット３２１〜３２４は、それぞれスロット番号（＃１〜＃４）を有し、搬送路に沿ったそれぞれの装填位置において、機能ユニットが装填される。装填位置は、搬送路上の位置（Ｘ方向の位置）で定義される。図１には、スロット３２１〜３２４のいずれにも機能ユニットは装填されていない場合について示されている。一方、図３には、スロット３２１〜３２４に、それぞれ機能ユニット５０１〜５０４が装填されている場合について示されている。機能ユニット５０１〜５０４のそれぞれは、後述するように禁則条件はあるもののいずれのスロット３２１〜３２４にも装填可能であり、相互に入れ替え可能である。また、全てのスロット３２１〜３２４に機能ユニット５０１〜５０４を装填しなくてもよく、いずれかのスロット３２１〜３２４にのみ装填してもよい。またスロット３２１〜３２４が空の場合には、用紙搬送に支障がないような態様でダミーのユニットが装填される。
【００４７】
また、スロット３２１〜３２４には、それぞれ検出センサー３２５〜３２８が設置されている。検出センサー３２５〜３２８は、制御部３６０と協働して、それぞれ機能ユニット５０１〜５０４の装填の有無を判定するとともに、スロット３２１〜３２４に機能ユニットが装填されている場合、機能ユニットの種類および装填の有無、すなわち装填位置に関する情報を取得する。検出センサー３２５〜３２８および制御部３６０は、装填検出部および種類検出部として機能する。
【００４８】
検出センサー３２５〜３２８は、機能ユニットの装填の有無および機能ユニットの種類を検出できるセンサーであれば、いかなる形態のものでよく、たとえば、光センサー、アクチュエーターなどを使用できる。また、第１の後処理装置３００本体側にあるコネクターと、機能ユニットのコネクターが嵌合し、電気的に接続することで、制御部２９０が、装填の有無を検出し、また接続後に機能ユニットの制御基板に記憶している識別番号を読み取ることで、機能ユニットの種類を検出（判定）するようにしてもよい。
【００４９】
機能ユニット５０１〜５０４は、たとえばＣＤ断裁ユニット、天地スリット（ＦＤ断裁）ユニット、ドブ断ちスリットユニット、クリースユニット、ＣＤミシンユニット、ＦＤミシンユニット、名刺スリットユニットのうちのいずれかでありうる。
【００５０】
ＣＤ断裁ユニットは、ＣＤ方向に用紙を断裁するユニットである。また、天地スリットは、用紙搬送方向に用紙を断裁するユニットであり、ＦＤ（Ｆｅｅｄ  Ｄｉｒｅｃｔｉｏｎ）断裁ユニットとも呼ばれる。以下、用紙搬送方向を「ＦＤ方向」ともいう。
【００５１】
ドブ断ちスリットユニットは、ＦＤ方向にスリットを形成するユニットである。たとえば、ドブ断ちスリット処理では２つ平行な断裁線で断裁を行い２つの断裁線の間にスリット（溝）が形成される。クリースユニットは、所定方向、例えばＣＤ方向に筋を形成するユニットである。
【００５２】
ＣＤミシンユニットはＣＤ方向にミシン目を形成するユニットであり、ＦＤミシンユニットはＦＤ方向にミシン目を形成するユニットである。名刺スリットユニットは、名刺サイズに用紙を断裁するため、ＦＤ方向に複数のスリットを形成するユニットである。
【００５３】
なお、後処理部３２０は、これら以外の機能ユニットを使用することもできる。また、用紙の断裁を伴う機能ユニットにより断裁された断裁屑は、屑箱３３０へ自重により落下し、蓄積される。ユーザーは、屑箱の断裁屑を定期的に廃棄する。
【００５４】
通信Ｉ／Ｆ部３５０は、画像形成装置２００の後処理装置Ｉ／Ｆ２７２と通信回線２０２を通じて通信可能に接続され、データを送受信する。
【００５５】
制御部３６０は、用紙搬送部３１０、後処理部３２０、および通信Ｉ／Ｆ部３５０を制御する。制御部３６０は、ＣＰＵ３６１、ＲＡＭ３６２、およびＲＯＭ３６３を備える。
【００５６】
ＣＰＵ３６１は、第１の後処理装置用の制御プログラムを実行し、様々な機能を実現する。ＲＡＭ３６２は、ＣＰＵ３６１の演算結果や処理結果、後処理部３２０に装填されている機能ユニットの位置、種類、後述する禁則条件情報などを格納する。ＲＯＭ３６３は、上記制御プログラム、スロット（またはスロット番号）に応じた装填位置（搬送路上の位置）を含む各種パラメーターなどを記憶する。
【００５７】
制御部３６０は、検出センサー３２５〜３２８の検出結果に基づいて、機能ユニットの種類および装填位置を取得する。たとえば、スロット３２１〜３２４に装填が可能なすべての機能ユニットの種類ごとに固有のユニット番号があらかじめ割り振られ、装填されている機能ユニットの種類に関する情報としてユニット番号を取得するように構成できる。ユニット番号と機能ユニットの種類との対応関係は、ＲＡＭ３６２にテーブルとして記憶されうる。
【００５８】
対応関係を「機能ユニット名（ユニット番号）」のように表記すると、たとえば、ＣＤ断裁（１）、天地スリット（２）、ドブ断ちスリット（３）、クリース（４）、ＣＤミシン（５）、ＦＤミシン（６）、名刺スリット（７）、ダミー（８）のようにユニット番号が割り振られる。
【００５９】
あるいは、スロット３２１〜３２４に装填が可能なすべての機能ユニットに固有の識別番号があらかじめ割り振られ、装填されている機能ユニットの種類に関する情報として識別番号を取得するように構成できる。識別番号と機能ユニットの種類との対応は、ＲＡＭ３６２にテーブルとして記憶されうる。
【００６０】
また、装填位置に関する情報として、たとえばスロット＃１〜＃４を使用できる。スロット＃１〜＃４は、スロット３２１〜３２４にそれぞれ対応している。スロット３２１〜３２４は、画像形成装置２００に近い側からスロット３２１，３２２，３２３，３２４の順に配置されており、搬送路の所定の基準位置から各々のスロット３２１〜３２４までの距離は、あらかじめ規定されており、これはＲＯＭ３６３に記憶されている。したがって、スロット＃１〜＃４を指定することにより、装填位置が一義的に定まる。
【００６１】
また、制御部３６０は、条件出力部として機能し、検出センサー３２５〜３２８によって検出された機能ユニットの装填位置に応じて、後処理部３２０が後処理可能な条件を導出する。後処理可能な条件の詳細については後述する。
【００６２】
＜第２の後処理装置４００＞
第２の後処理装置４００は、画像形成装置２００の指示に従って、第１の後処理装置３００から供給された用紙を搬送または後処理し、画像形成システム１００の外部に排出する。第２の後処理装置４００は、画像形成システム１００において最下流に配置され、挿入給紙部４１０、用紙搬送部４２０、平綴じ部４３０、メイントレイ４４０、パージトレイ４５０、通信Ｉ／Ｆ部４６０、および制御部４７０を有する。これらの構成要素は、内部バス４０１により相互に通信可能に接続されている。
【００６３】
挿入給紙部４１０は、１つまたは複数の給紙トレイを備える。挿入給紙部４１０の給紙トレイには、たとえば予め印刷された用紙、色紙などが装填され、これらは、たとえば印刷束の表紙や章分けの挿入紙として用いられる。給紙トレイに載置された用紙は、印刷設定情報に基づいて、所定のタイミングで給紙される。
【００６４】
用紙搬送部４２０は、搬送路４２１および複数の搬送ローラー対４２２を備え、第１の後処理装置３００から供給された用紙を搬送路４２１に沿って搬送する。また、用紙搬送部４２０は、第１の後処理装置３００または挿入給紙部４１０から供給された用紙を搬送路４２１に沿って搬送する。また、平綴じ部４３０において平綴じされた冊子をメイントレイ４４０へ搬送する。
【００６５】
平綴じ部４３０は、用紙を蓄積するスタッカー部と、用紙の束をステープル留めするステープル部と、を備える。平綴じ部４３０は、用紙の束の端をステープル留めすることにより、用紙の束を平綴じして冊子を作成する。
【００６６】
メイントレイ４４０は、用紙搬送部４２０によって搬送された用紙のうち、有効紙を排出する。パージトレイ４５０は、用紙搬送部４２０によって搬送された用紙のうち、無効紙を排出する。
【００６７】
通信Ｉ／Ｆ部４６０は、画像形成装置２００の後処理装置Ｉ／Ｆ２７２と通信回線２０２を通じて通信可能に接続され、データを送受信する。
【００６８】
制御部４７０は、挿入給紙部４１０、用紙搬送部４２０、平綴じ部４３０、メイントレイ４４０、パージトレイ４５０、および通信Ｉ／Ｆ部４６０を制御する。制御部４７０は、ＣＰＵ４７１、ＲＡＭ４７２、およびＲＯＭ４７３を備える。
【００６９】
ＣＰＵ４７１は、第２の後処理装置用の制御プログラムを実行し、様々な機能を実現する。ＲＡＭ４７２は、ＣＰＵ４７１の演算結果や処理結果などを記憶する。ＲＯＭ４７３は、上記制御プログラム、各種パラメーターなどを記憶する。
【００７０】
＜画像形成システム１００の制御方法＞
図４Ａ、図４Ｂを参照して、本実施形態の画像形成システム１００の制御方法について説明する。図４Ａは本実施形態の画像形成システム１００の制御方法の処理手順を例示するフローチャートであり、図４Ｂは図４ＡのステップＳ１０４の処理を例示するサブルーチン・フローチャートである。なお、図４Ａおよび図４Ｂに示す処理は、制御部２９０および制御部３６０が協働することにより実現される。
【００７１】
図４Ａに示すように、機能ユニットが装填されているか否かを判定する（ステップＳ１０１）。制御部３６０は、検出センサー３２５〜３２８の検出結果に基づいて、それぞれスロット３２１〜３２４における機能ユニットの装填の有無を判定する。
【００７２】
スロット３２１〜３２４のいずれにも機能ユニットが装填されていないと判定された場合（ステップＳ１０１：ＮＯ）、スロット３２１〜３２４のいずれかに機能ユニットが装填されたと判定されるまで待機する（ステップＳ１０１：ＮＯ）。
【００７３】
一方、スロット３２１〜３２４のいずれかに機能ユニットが装填されていると判定された場合（ステップＳ１０１：ＹＥＳ）、機能ユニットの装填位置に関する情報を取得する（ステップＳ１０２）。図３に示す例では、機能ユニット５０１〜５０４がそれぞれスロット３２１〜３２４に装填されている。制御部３６０は、検出センサー３２５〜３２８の検出結果に基づいて、後処理部３２０における機能ユニットの装填位置に関する情報として、スロット＃１〜＃４を取得する。
【００７４】
続いて、機能ユニットの種類に関する情報を取得する（ステップＳ１０３）。制御部３６０は、検出センサー３２５〜３２８の検出結果に基づいて、機能ユニット５０１〜５０４の種類に関する情報を取得する。たとえば、制御部３６０は、機能ユニット５０１〜５０４の種類に関する情報として、それぞれユニット番号１，２，８，８を取得する。すなわち、機能ユニット５０１〜５０４は、それぞれＣＤ断裁（１）、天地スリット（２）、ダミー（８）、ダミー（８）に該当する。
【００７５】
続いて、後処理可能な条件を出力する（ステップＳ１０４）。制御部３６０は、機能ユニット５０１〜５０４の種類および装填位置に応じて、後処理部３２０が後処理可能な条件を出力する。より具体的には、以下のとおりである。
【００７６】
＜後処理可能な条件の出力（ステップＳ１０４）＞
図４Ｂに示すように、機能ユニットの装填位置により制約が発生するか否かを判断する（ステップＳ２０１）。ＣＤ方向への後処理については、用紙搬送を一旦停止する必要があるため、後処理を実施する用紙上の位置によっては、後処理を実施している間に、後段に連結されている第２の後処理装置４００によって用紙が引っ張られるなどの制約が発生する可能性がある。なお、本実施形態においては、制御の煩雑さや、互換性を考慮して、第２の後処理装置４００の制御は、第１の後処理装置３００の機能ユニットに関する構成の変更に応じた、用紙搬送タイミング等の制御変更は行なわない。
【００７７】
図３に示すように、スロット３２１の装填位置と第２の後処理装置４００の搬送ローラー対４２２との間の距離をＤ１と定義し、スロット３２４の装填位置と搬送ローラー対４２２との間の距離をＤ４と定義する。また、図示はしていないが、スロット３２２の装填位置と搬送ローラー対４２２との間の距離、およびスロット３２３の装填位置と搬送ローラー対４２２との間の距離も、同様に、それぞれＤ２およびＤ３と定義する。
【００７８】
スロット３２１の機能ユニット５０１が後処理を実施する場合、後処理を実施する位置が用紙の先頭から距離Ｄ１以内であれば、機能ユニット５０１が後処理を実行している間に第２の後処理装置４００によって用紙が引っ張られることはない。また、スロット３２４の機能ユニット５０４が後処理を実施する場合、後処理を実施する位置が用紙の先頭から距離Ｄ４以内であれば、機能ユニット５０４が後処理を実行している間に第２の後処理装置４００によって用紙が引っ張られることはない。
【００７９】
以下の説明では、便宜上、距離Ｄ１〜Ｄ４がそれぞれ５００、３７０、２４０、１１０ｍｍに設定されている場合を例示する。また、スロット３２１の機能ユニットは、４９０ｍｍまでの長さの用紙を後処理できる場合を例示する。しかしながら、距離Ｄ１〜Ｄ４の値および後処理可能な用紙サイズは、このような場合に限定されない。
【００８０】
制御部３６０は、機能ユニットの装填位置により制約が発生するか否かを判定する。より具体的には、制御部３６０は、スロット３２１〜３２４に装填されている機能ユニット５０１〜５０４の種類および装填位置に基づいて、制約が発生するか否かを判定する。
【００８１】
図５Ａは機能ユニットの位置とその位置において後処理が実施可能な条件の一例を示す表であり、図５Ｂは、図５Ａの機能ユニットの組み合わせにより実施可能な後処理の代表例を示す模式図である。
【００８２】
図５Ａに示す例では、機能ユニットとして、ＣＤ断裁ユニット、天地スリットユニット、ダミーユニット、およびダミーユニットが、この並びでスロット＃１〜＃４にそれぞれ装填されている。これらのうちＣＤ方向へ後処理を行う機能ユニットは、ＣＤ断裁ユニットのみである。ＣＤ断裁ユニットは、スロット＃１に装填されており、紙長４９０ｍｍ以内であれば、ＦＤ方向のどの位置においてもＣＤ断裁処理を実施できる。また、ＣＤ断裁ユニットが断裁処理を実施している間に第２の後処理装置４００によって用紙が引っ張られることはない。したがって、上記機能ユニットの並びでは、後処理の制約は発生しない。
【００８３】
機能ユニットの装填位置により制約が発生しない場合（ステップＳ２０１：ＮＯ）、制御部３６０は、後処理可能な条件を出力する（ステップＳ２０２）。図５Ａに示すように、制御部３６０は、スロット＃１〜＃４に装填されているＣＤ断裁、天地スリット、ダミー、およびダミーの機能ユニットの種類および位置に基づいて、後処理可能な条件を操作表示部２８０のディスプレイに表示または用紙に印刷する。具体的には、「排出先」および「備考」の欄に記載されているように、紙長は４９０ｍｍまで可能であり、紙長４９０ｍｍまで下流排紙するには、ＣＤ断裁をスロット＃１に配置することが必要である。以下、本実施形態では、操作表示部２８０のディスプレイに表示または用紙に印刷することを「出力する」という。
【００８４】
また、図５Ｂに示すように、制御部３６０は、上記機能ユニットの並びで実施可能な後処理の代表例を出力イメージ画像として出力する。上記機能ユニットの並びでは、ＣＤ断裁ユニットのみ稼働させ、天地スリットユニットを稼働させない場合、ＣＤ方向の断裁処理を実施できる。また、天地スリットユニットを稼働させ、ＣＤ断裁ユニットを稼働させない場合、ＦＤ方向の断裁処理を実施できる。さらに、ＣＤ断裁ユニットおよび天地スリットユニットをともに稼働する場合、四方断裁処理を実施できる。
【００８５】
図５Ｂには、四方断裁処理を実施した場合の出力イメージ画像が模式的に示されている。符号６０１は四方断裁処理によって四方の端部が除去された断裁処理後の用紙であり、符号６０２は除去された四方の端部（いわゆる、「カス部分」）である。このうち、出力されて実際にユーザーに提示されるのは、断裁処理後の用紙６０１のみであり、除去された四方の端部６０２については、ユーザーに提示されない。
【００８６】
また、断裁処理後の用紙６０１は、第２の後処理装置４００へ搬送されるか、あるいはパージトレイ３４０へ搬送され、排紙されうる。そして、制御部３６０は、後処理可能な条件を出力する処理を終了する（リターン）。
【００８７】
次に、機能ユニットの装填位置により制約が発生する場合について説明する。図６Ａは第１の後処理装置における機能ユニットの位置とその位置において後処理が実施可能な条件の他の例を示す表であり、図６Ｂは図６Ａの機能ユニットの組み合わせにおける禁則条件を示す模式図である。また、図６Ｃは図６Ａの機能ユニットの組み合わせにより実施可能な後処理の代表的な一例を示す模式図であり、図６Ｄは図６Ａの機能ユニットの組み合わせにより実施可能な後処理の代表的な他の例を示す模式図である。
【００８８】
図４Ｂに戻り、機能ユニットの装填位置により制約が発生する場合（ステップＳ２０１：ＹＥＳ）、用紙上の後処理可能な範囲を算出する（ステップＳ２０３）。制御部３６０は、スロット３２１〜３２４に装填されている機能ユニット５０１〜５０４の種類および装填位置に基づいて、用紙上の後処理可能な範囲を算出する。
【００８９】
たとえば、機能ユニットとして、ＣＤ断裁ユニット、クリースユニット、天地スリットユニット、およびダミーユニットが、この並びでスロット３２１〜３２４にそれぞれ装填されている場合について想定する。
【００９０】
クリースユニットは、用紙に対してＣＤ方向に筋を付ける処理を行うため、処理を実施する位置によっては制約を受ける可能性がある。上記機能ユニットの並びでは、クリースユニットは、スロット３２２に装填されているので、たとえば、本実施形態では、用紙の先頭から３６０ｍｍの位置までの範囲内でクリース処理を実施できる。すなわち、クリースユニットは、スロット３２２に装填される場合、後処理を実施できる範囲が用紙の先頭から３６０ｍｍの位置までの制約を受ける。
【００９１】
次に、後処理可能な条件および禁則情報を出力する（ステップＳ２０４）。図６Ａに示すように、制御部３６０は、スロット＃１〜＃４にそれぞれ装填されているＣＤ断裁、クリース、天地スリット、ダミーの各機能ユニットの装填位置に基づいて、後処理可能な条件を出力する。
【００９２】
また、制御部３６０は、クリースユニットに対する制約により、禁則条件として３６０ｍｍを設定する。そして、図６Ｂに示すように、制御部３６０は、禁則条件に基づいて、禁則情報７００をイメージ画像として出力する。図６Ｂには、クリースユニットによる折り筋７０１の形成位置として、用紙先頭から３６０ｍｍの位置が最大であることが例示されている。
【００９３】
また、図６Ｃおよび図６Ｄに示すように、制御部３６０は、上記機能ユニットの並びで実施可能な後処理の代表例を出力イメージ画像として出力する。
【００９４】
図６Ｃは、ＣＤ断裁ユニットおよび天地スリットユニットを稼働、クリースユニットを休止して、四方断裁処理を実施した場合を例示する。また、図６Ｄは、ＣＤ断裁ユニット、天地スリットユニット、およびクリースユニットをすべて稼働して、四方断裁処理およびクリース処理を実施した場合を例示する。符号６０１は四方断裁処理によって四方の端部が除去された断裁処理後の用紙であり、符号６０２は除去された四方の端部である。また、符号６０３は、クリース処理によって形成された筋を示す。
【００９５】
＜機能ユニットの装填位置により制約が発生する場合の他の例＞
図７Ａは機能ユニットの位置とその位置において後処理が実施可能な条件の他の例を示す表であり、図７Ｂは図７Ａの機能ユニットの組み合わせにおける禁則条件を示す模式図である。また、図７Ｃは図７Ａの機能ユニットの組み合わせにより実施可能な後処理の代表的な一例を示す模式図であり、図７Ｄは図７Ａの機能ユニットの組み合わせにより実施可能な後処理の代表的な他の例を示す模式図である。
【００９６】
たとえば、機能ユニットとして、天地スリットユニット、ダミーユニット、ドブ断ちスリットユニット、およびＣＤ断裁ユニットが、この並びでスロット３２１〜３２４にそれぞれ装填されている場合について想定する。
【００９７】
これらのうちＣＤ方向へ後処理を行う機能ユニットは、ＣＤ断裁ユニットのみである。ＣＤ断裁ユニットは、スロット３２４に装填されており、用紙の先頭から１００ｍｍの範囲内であれば、ＦＤ方向のどの位置においてもＣＤ断裁を実施できる。しかし、用紙の先頭から１００ｍｍを超えた場合は、ＣＤ断裁ユニットが断裁処理を実施している間に第２の後処理装置４００によって用紙が引っ張られる可能性がある。したがって、ＣＤ断裁ユニットは、スロット３２４に装填される場合、後処理を実施できる範囲が用紙の先頭から１００ｍｍの位置までの制約を受ける。
【００９８】
図７Ａに示すように、制御部３６０は、スロット＃１〜＃４にそれぞれ装填されている天地スリット、ダミー、ドブ断ちスリット、ＣＤ断裁の各機能ユニットの装填位置に基づいて、後処理可能な条件を出力する。
【００９９】
また、制御部３６０は、ＣＤ断裁ユニットに対する制約により、禁則条件として１００ｍｍを設定する。そして、図７Ｂに示すように、制御部３６０は、禁則条件に基づいて、禁則情報７００をイメージ画像として出力する。図７Ｂには、ＣＤ断裁ユニットによる断裁位置７０２として、用紙先頭から１００ｍｍの位置が最大であることが例示されている。
【０１００】
また、図７Ｃおよび図７Ｄに示すように、制御部３６０は、上記機能ユニットの並びで実施可能な後処理の代表例を出力イメージ画像として出力する。
【０１０１】
図７Ｃは、ＣＤ断裁ユニットおよび天地スリットユニットを稼働し、ドブ断ちスリットユニットを休止して三方断裁処理を実施した場合を例示する。なお、ＣＤ断裁ユニットは断裁処理を実施できる範囲が用紙の先頭から１００ｍｍの位置までの制約を受けているので、１００ｍｍを超える、用紙の後端部は断裁されない。また、図７Ｄは、ＣＤ断裁ユニット、天地スリットユニット、およびドブ断ちスリットユニットをすべて稼働して、三方断裁処理およびドブ断ち処理を実施した場合を例示する。
【０１０２】
＜機能ユニットの入れ替えによる禁則条件の緩和＞
図８Ａは、機能ユニットの並びの初期状態を例示する模式図である。図８Ｂ〜図８Ｄは図８Ａの初期状態から禁則条件を緩和する並び順の入れ替えを行った場合を例示する模式図である。
【０１０３】
再び、図４Ｂに戻り、機能ユニットの入れ替えにより禁則条件が緩和するか否かを判断する（ステップ２０５）。たとえば、図８Ａに示すように、スロット＃１〜＃４に天地スリットユニット、ダミーユニット、ダミーユニット、ＣＤ断裁ユニットがそれぞれ装填されている場合を想定する。この場合、ＣＤ断裁処理の実施可能範囲は、用紙先頭から１００ｍｍである。すなわち、禁則条件は１００ｍｍとなる。
【０１０４】
機能ユニットの入れ替えにより禁則が緩和しない場合（ステップＳ２０５：ＮＯ）、制御部３６０は、処理を終了する（リターン）。
【０１０５】
一方、機能ユニットの入れ替えにより禁則条件が緩和する場合（ステップＳ２０５：ＹＥＳ）、制御部３６０は、禁則条件が緩和された場合の後処理可能な条件を出力する（ステップＳ２０６）。より具体的には、制御部３６０は、スロット＃１〜＃４に装填されている天地スリットユニット、ダミーユニット、ダミーユニット、ＣＤ断裁ユニットについて互いに位置を入れ替えることにより、禁則条件が緩和する場合、禁則条件が緩和する並び順をユーザーに推奨する。たとえば、制御部３６０は、図８Ｂ〜図８Ｄに示すような機能ユニットの並び順をユーザーに提示し、処理を終了する（リターン）。
【０１０６】
図８Ｂに示すように、制御部３６０は、ＣＤ断裁ユニットがスロット＃３に位置するように、機能ユニットを入れ替えることをユーザーに推奨しうる。図８Ａの機能ユニットの並び順から図８Ｂの機能ユニットの並び順にするには、たとえば、ユーザーは、スロット＃３のダミーユニットとスロット＃４のＣＤ断裁ユニットとを入れ替えることにより達成できる。入れ替え後の並び順では、ＣＤ断裁処理の実施可能範囲は、たとえば用紙先頭から２３０ｍｍとなる。すなわち、禁則条件は２３０ｍｍとなり、図８Ａに示す場合と比較して禁則条件が緩和される。
【０１０７】
また、図８Ｃに示すように、制御部３６０は、ＣＤ断裁ユニットがスロット＃２に位置するように機能ユニットを入れ替えることをユーザーに推奨しうる。図８Ａの機能ユニットの並び順から図８Ｃの機能ユニットの並び順にするには、たとえば、ユーザーは、スロット＃２のダミーユニットとスロット＃４のＣＤ断裁ユニットとを入れ替えることにより達成できる。この場合、ＣＤ断裁処理の実施可能範囲は、たとえば用紙先頭から３６０ｍｍとなる。すなわち、禁則条件は３６０ｍｍとなり、図８Ａに示す場合と比較して禁則条件が緩和される。
【０１０８】
さらに、図８Ｄに示すように、制御部３６０は、ＣＤ断裁ユニットがスロット＃１に位置するように機能ユニットを入れ替えることをユーザーに推奨しうる。図８Ａの機能ユニットの並び順から図８Ｃの機能ユニットの並び順にするには、たとえば、ユーザーは、スロット＃２のダミーユニットとスロット＃４のＣＤ断裁ユニットとを入れ替え、さらにスロット＃２のＣＤ断裁ユニットとスロット＃１の天地スリットユニットとを入れ替えることにより達成できる。この場合、ＣＤ断裁処理の実施可能範囲は、たとえば用紙先頭から４９０ｍｍとなる。すなわち、禁則条件はなくなるため、図８Ａに示す場合と比較して禁則条件が緩和される。
【０１０９】
このように、本実施形態では、制御部３６０は、同じ機能ユニットの組み合わせ（たとえば、天地スリットユニット、ダミーユニット、ダミーユニット、ＣＤ断裁ユニット）でも、禁則条件が緩い、より良い条件をユーザーに提示できる。
【０１１０】
＜機能ユニットの組み合わせ一覧＞
図９Ａおよび図９Ｂを参照して、機能ユニットの組み合わせについて説明する。図９Ａは機能ユニットの組み合わせにより実現される代表的な後処理、後処理の実施可能な条件等について一覧表示した表であり、図９Ｂは図９Ａに続く表である。制御部３６０は、ユーザーの指示に応じて、図９Ａおよび図９Ｂに示す表を出力できる。
【０１１１】
図９Ａにおいて、「Ｎｏ．１」に示す機能ユニットの組み合わせは、図５Ａに示す機能ユニットの組み合わせと同一である。上述のとおり、後処理の代表例としては、四方断裁処理が挙げられる。なお、表中の「後処理」の欄において、一点鎖線は、天地スリット処理またはＣＤ断裁処理による断裁を示す。
【０１１２】
後工程としては、ＦＳメイントレイ（後処理装置により処理後メイントレイへ排出）、ＬＳメイントレイ（大型スタッカーにより処理後メイントレイへ排出）、ＳＤ本身（鞍綴じ製本）、ＰＢ本身（くるみ製本）等が挙げられる。また、出力物としては、シート、フライヤー、チラシ、バナーなどが挙げられる。
【０１１３】
「Ｎｏ．２」に示すように、上記「Ｎｏ．１」と同一の機能ユニットの組み合わせで、ＣＤ断裁ユニットにより用紙をＣＤ方向に複数回断裁する処理を実施できる。表には、Ａ３サイズの用紙が２枚のＡ４用紙に分割される場合について例示されている。
【０１１４】
後工程としては、ＴＵ（Ｔｒｉｍｅｒ  Ｕｎｉｔ）パージ（パージトレイ３４０への排出）、ＦＳメイントレイ、ＬＳメイントレイ、ＰＢ本身等が挙げられる。また、出力物としては、「Ｎｏ．１」と同様に、シート、フライヤー、チラシ、バナーなどが挙げられる。
【０１１５】
「Ｎｏ．３」に示す機能ユニットの組み合わせは、図６Ａに示す機能ユニットの組み合わせと同一である。上述のとおり、後処理の代表例としては、四方断裁処理およびクリース処理が挙げられる。なお、表中の「後処理」の欄において、一点鎖線は天地スリット処理またはＣＤ断裁処理による断裁を示し、太線はクリース処理による筋を示す。
【０１１６】
後工程としては、ＰＢカバー（くるみ製本による表紙作成）、ＳＤカバー（鞍綴じ製本による表紙作成）、ＳＤ折り（鞍綴じ製本による折り）、長尺筋入（折り用）等が挙げられる。また、出力物としては、バナー、ブックカバー、リーフレット、カタログ、パンフレット、フォトアルバム、ブックレット等が挙げられる。
【０１１７】
「Ｎｏ．４」に示すように、スロット＃１〜＃４のそれぞれに、天地スリット、クリース、ドブ断ちスリット、ＣＤ断裁の機能ユニットが装填されている場合、後処理の代表例としては、四方断裁処理およびクリース処理が挙げられる。
【０１１８】
後工程としては、ＴＵパージ（パージトレイ３４０への排出）が挙げられる。また、出力物としては、二つ折りカード類（ショッピングカード、グリーティングカード、スタンプカード、招待状など）が挙げられる。
【０１１９】
なお、排出先としては、パージトレイ３４０へのパージは可能であるが、ドブ断ちスリット処理によりＦＤ方向に複数に分割されるため、下流の第２の後処理装置４００への搬送は不可能である。
【０１２０】
続いて、図９Ｂにおいて、「Ｎｏ．５」に示す機能ユニットの組み合わせは、図７Ａに示す機能ユニットの組み合わせと同一である。上述のとおり、後処理の代表例としては、複数断裁処理（カード）が挙げられる。後工程としてはＴＵパージ、出力物としてはカード類（ショッピングカード、グリーティングカード、スタンプカード、招待状など）が挙げられる。
【０１２１】
「Ｎｏ．６」に示す機能ユニットの組み合わせは、「Ｎｏ．５」におけるドブ断ちスリットユニットを名刺スリットユニットに置き換えたものである。後工程としてはＴＵパージまたは専用スタッカー、出力物としては名刺、カードが挙げられる。
【０１２２】
「Ｎｏ．７」および「Ｎｏ．８」では、スロット＃１〜＃４に、それぞれ天地スリット、ＣＤミシン、ＦＤミシン、ＣＤ断裁の機能ユニットが装填されている。「Ｎｏ．７」の場合、後処理の代表例としては、四方断裁処理およびミシン処理が挙げられる。また、「Ｎｏ．８」の場合、後処理の代表例としては、複数断裁処理およびミシン処理が挙げられる。なお、「Ｎｏ．７」および「Ｎｏ．８」において、破線はＣＤミシンまたはＦＤミシンによるミシン処理を示す。後工程としてはＴＵパージ、出力物としてはチケット、クーポン等が挙げられる。
【０１２３】
なお、ユーザーが出力物のイメージを持ちやすいように、図９Ａおよび図９Ｂの一覧表に出力物の写真などのサンプルを掲載するようにしてもよい。
【０１２４】
＜後処理された用紙の出力例＞
次に、第１の後処理装置３００により後処理された用紙の出力例について説明する。図１０Ａ〜図１０Ｅは、第１の後処理装置３００によって後処理された用紙の出力例を示す模式図である。図１０Ａ〜図１０Ｅにおいて、「表示（印刷）パターン」は、操作表示部２８０のディスプレイに表示される後処理イメージ画像、または用紙に印刷される後処理イメージ画像を模式的に示す。また、「出力用紙」は、後処理が実施された場合に出力される用紙の形態を模式的に示す。
【０１２５】
図１０Ａは四方断裁処理が実施される場合を示す。「表示（印刷）パターン」には、天地スリットユニットまたはＣＤ断裁ユニットによって断裁される位置が、たとえば一点鎖線で示される。四方断裁処理が実施された場合、「出力用紙」に示すように、四方の端部が断裁された用紙が出力される。
【０１２６】
図１０Ｂは、四方断裁に加えて、クリースユニットによるクリース処理が実施される場合を示す。この場合、四方の端部が断裁され、ＣＤ方向に筋が付けられた用紙が出力される。
【０１２７】
図１０Ｃは、四方断裁およびクリースに加えて、ドブ断ちスリットユニットによるドブ断ちスリット処理が実施される場合を示す。この場合、四方の端部が断裁され、ＦＤ方向に２枚に分割され、ＣＤ方向に筋が付けられた用紙が出力される。
【０１２８】
図１０Ｄは、天地スリット処理および名刺用の複数断裁処理が実施される場合を示す。この場合、天面および地面の端部が断裁され、名刺大のサイズに複数分割された用紙が出力される。
【０１２９】
図１０Ｅは、四方断裁処理、ＣＤミシン処理、およびＦＤミシン処理が実施される場合を示す。この場合、四方の端部が断裁され、ＣＤ方向およびＦＤ方向にミシン目が形成された用紙が出力される。
【０１３０】
＜変形例１＞
図１１Ａ〜図１１Ｄは、本実施形態の変形例１を説明するための模式図である。変形例１では、後処理後の用紙６０１を提示するだけではなく、機能ユニットの並びに応じて、用紙に対して適切に後処理が実施される旨もユーザーに提示する。
【０１３１】
図１１Ａに示すように、制御部３６０は、四方断裁処理において、用紙６００の断裁位置に文字、番号等のテキスト６０４を付して出力する。図１１Ａに示す例では、「〔１〕先端」および「〔１〕後端」は、それぞれＣＤ断裁処理が実施される用紙先端部および後端部の断裁位置を示す。また、「〔３〕天面」および「〔３〕地面」は、それぞれ天地スリット処理が実施される天面の端部および地面の端部の断裁位置を示す。なお、上述のとおり、四方の端部が断裁された用紙６０１はユーザーに提示されるが、除去された四方の端部６０２はユーザーには提示されない。
【０１３２】
図１１Ｂに示すように、制御部３６０は、図１１Ａの四方断裁処理に加えてクリース処理を実施する場合、筋が形成される位置に文字、番号等のテキスト６０４を付して出力する。たとえば図１１Ｂに示す例では、「〔２〕クリース」は、筋を形成する位置を示す。
【０１３３】
また、図１１Ｃおよび図１１Ｄに示すように、用紙６００の断裁位置にテキスト６０４を付す代わりに、断裁位置に色枠６０５を付けてもよい。たとえば、ＣＤ方向の断裁位置とＦＤ方向の断裁位置とは、異なる色を付すことによって識別されうる。あるいは、ＣＤ方向の断裁位置とＦＤ方向の断裁位置とにそれぞれ異なるパターン、マーク、模様などを付すことによって識別するようにしてもよい。
【０１３４】
このように、変形例１では、機能ユニットが後処理を実施する位置を示す識別子（テキスト６０４または色枠６０５）を含む出力イメージ画像を印刷するので、ユーザーは、実際に出力される用紙に後処理が適切に実施されることを容易に確認できる。
【０１３５】
＜変形例２＞
図１２Ａ〜図１２Ｃは、本実施形態の変形例２を説明するための模式図である。変形例２では、端部が断裁された用紙でなく、断裁処理により除去された用紙端部に画像を形成することにより、機能ユニットの並びに応じて、用紙に対して適切に断裁処理が実施されることをユーザーに提示する。
【０１３６】
図１２Ａ〜図１２Ｃに示すように、制御部３６０は、用紙８００の断裁処理により除去される用紙端部８０２にベタ画像を形成する。用紙端部８０２は、出力イメージ画像を除いた部分であって、出力イメージ画像に隣接する周辺部である。なお、用紙端部８０２の全面にベタ画像を形成する必要はなく、出力イメージ画像を囲む、数ｍｍの幅の枠線でもよい。変形例２では、端部が断裁された用紙８０１だけではなく、用紙端部８０２もユーザーに提示される。ユーザーは、用紙８０１内にベタ部分が残っていないことを確認する。
【０１３７】
このように、変形例２では、後処理部３２０が断裁処理を実施した後の用紙の出力イメージ画像を囲む隣接領域に画像が印刷されるので、ユーザーは、実際に出力される用紙に断裁処理が適切に実施されることを容易に確認できる。
【０１３８】
説明した本実施形態の第１の後処理装置３００および画像形成システム１００は、下記の効果を奏する。
【０１３９】
第１の後処理装置３００における機能ユニットの装填位置に応じて、第１の後処理装置３００が後処理可能な条件を出力するので、ユーザーは、所望の後処理が実施可能か否かを容易に判断できる。
【０１４０】
＜変形例３＞
図１３は、変形例３の第１の後処理装置３００の概略構成を示す断面図である。本変形例では、画像形成装置２００の操作表示部２８０または画像形成部２３０の代わりに、第１の後処理装置３００の表示部３２９が、後処理部３２０の後処理可能な条件および出力イメージ画像を表示する場合について説明する。
【０１４１】
第１の後処理装置３００は、表示部３２９をさらに有する。表示部３２９は、制御部３６０とともに条件出力部として機能し、後処理部３２０の機能ユニットの装填位置に応じて、後処理部３２０が後処理可能な条件を表示する。
【０１４２】
以上のように、実施形態において、について説明した。しかしながら、本発明は、その技術思想の範囲内において当業者が適宜に追加、変形、および省略することができることはいうまでもない。
【０１４３】
たとえば、上述の実施形態では、第１の後処理装置３００の制御部３６０が、検出センサー３２５〜３２８によって検出された機能ユニットの装填位置に応じて、後処理部３２０が後処理可能な条件を導出する場合について説明した。しかしながら、このような場合に限定されず、画像形成装置２００の制御部２９０が検出センサー３２５〜３２８によって検出された機能ユニットの装填位置に応じて、後処理部３２０が後処理可能な条件を導出するように構成されてもよい。
【０１４４】
また、上述の実施形態では、制約として、後段に連結されている第２の後処理装置４００によって第１の後処理装置３００において後処理している用紙が引っ張られる場合について例に挙げて説明したが、本発明は他の制約の場合についても適用できる。また、ＣＤ方向に関する制約のみならずＦＤ方向に関する制約である場合についても適用できる。
【０１４５】
また、画像形成装置、第１および第２の後処理装置の制御プログラムは、ＵＳＢメモリー、フレキシブルディスク、ＣＤ−ＲＯＭなどのコンピューター読み取り可能な記録媒体によって提供されてもよいし、インターネットなどのネットワークを介してオンラインで提供されてもよい。この場合、コンピューター読み取り可能な記録媒体に記録されたプログラムは、通常、記憶部や記憶装置などに転送され記憶される。また、この制御プログラムは、たとえば、単独のアプリケーションソフトとして提供されてもよいし、画像形成装置の一機能としてその各装置のソフトウェアに組み込んでもよい。
【符号の説明】
【０１４６】
１００  画像形成システム、
２００  画像形成装置、
２１０  画像読取部、
２２０  画像処理部、
２３０  画像形成部、
２４０  給紙部、
２５０  用紙搬送部、
２６０  定着部、
２７０  通信部、
２７１  ネットワークＩ／Ｆ、
２７１  後処理装置Ｉ／Ｆ、
２８０  操作表示部、
２９０  制御部、
３００  第１の後処理装置、
３１０  用紙搬送部、
３１１〜３１３  搬送路、
３１４  搬送ローラー対、
３１５  長尺紙搬送部、
３１６  パージ搬送部、
３２０  後処理部、
３２１〜３２４  スロット、
３２５〜３２８  検出センサー、
３３０  屑箱、
３４０  パージトレイ、
３５０  通信Ｉ／Ｆ部、
３６０  制御部、
４００  第２の後処理装置、
４１０  挿入給紙部、
４２０  用紙搬送部、
４３０  平綴じ部、
４４０  メイントレイ、
４５０  パージトレイ、
４６０  通信Ｉ／Ｆ部、
４７０  制御部、
５０１〜５０４  機能ユニット。
【図１】
2019112157.tif 000003
【図２】
2019112157.tif 000004
【図３】
2019112157.tif 000005
【図４Ａ】
2019112157.tif 000006
【図４Ｂ】
2019112157.tif 000007
【図５Ａ】
2019112157.tif 000008
【図５Ｂ】
2019112157.tif 000009
【図６Ａ】
2019112157.tif 000010
【図６Ｂ】
2019112157.tif 000011
【図６Ｃ】
2019112157.tif 000012
【図６Ｄ】
2019112157.tif 000013
【図７Ａ】
2019112157.tif 000014
【図７Ｂ】
2019112157.tif 000015
【図７Ｃ】
2019112157.tif 000016
【図７Ｄ】
2019112157.tif 000017
【図８Ａ】
2019112157.tif 000018
【図８Ｂ】
2019112157.tif 000019
【図８Ｃ】
2019112157.tif 000020
【図８Ｄ】
2019112157.tif 000021
【図９Ａ】
2019112157.tif 000022
【図９Ｂ】
2019112157.tif 000023
【図１０Ａ】
2019112157.tif 000024
【図１０Ｂ】
2019112157.tif 000025
【図１０Ｃ】
2019112157.tif 000026
【図１０Ｄ】
2019112157.tif 000027
【図１０Ｅ】
2019112157.tif 000028
【図１１Ａ】
2019112157.tif 000029
【図１１Ｂ】
2019112157.tif 000030
【図１１Ｃ】
2019112157.tif 000031
【図１１Ｄ】
2019112157.tif 000032
【図１２Ａ】
2019112157.tif 000033
【図１２Ｂ】
2019112157.tif 000034
【図１２Ｃ】
2019112157.tif 000035
【図１３】
2019112157.tif 000036